(57)【特許請求の範囲】
【請求項１】
器具本体と、給電装置と、接続部材とを備え、
前記器具本体は、造営材に取り付けられる底板部を有し、前記底板部は、厚み方向に貫通する孔が設けられ、
前記給電装置は、電気回路と、ケースとを有し、前記電気回路は、電源線を介して外部から供給される電力を、光源に必要とされる電力に変換するように構成され、前記ケースは、箱状に形成されて前記電気回路を内部に収容するように構成され、
前記接続部材は、前記電気回路と前記光源を電気的に接続するように構成され、
さらに、前記ケースは、前記底板部の厚み方向から見て前記孔の少なくとも一部と重なり、かつ前記厚み方向に沿って前記底板部との距離が可変となるように前記底板部に取り付けられることを特徴とする照明器具。
【請求項２】
前記ケースは、取付部材を介して前記底板部に取り付けられるように構成され、前記取付部材は、前記厚み方向に沿って前記底板部との距離が可変となるように前記底板部に取り付けられるように構成されることを特徴とする請求項１記載の照明器具。
【請求項３】
前記底板部は、前記厚み方向に沿った１乃至複数の軸部を有し、
前記取付部材は、前記ケースが固定される固定部と、前記軸部に支持される１乃至複数の支持部とを有し、前記固定部は、前記底板部に対して傾くように形成され、前記支持部は、前記軸部に沿って移動可能に形成されることを特徴とする請求項２記載の照明器具。
【発明の詳細な説明】
【技術分野】
【０００１】
本発明は、照明器具に関し、より詳細には、光源に給電する給電装置を内蔵して天井等の造営材に取り付けられる照明器具に関する。
【背景技術】
【０００２】
従来例として、特許文献１記載の照明器具を例示する。特許文献１記載の照明器具は、天井に取り付けられる器具本体と、２つのソケット（第１ソケット及び第２ソケット）と、点灯装置（給電装置）と、反射板とを備える。
【０００３】
器具本体は、金属板によって下面が開口した矩形箱形に形成される。器具本体の内部は隔壁によって長手方向の一端側の第１収納空間と、長手方向の他端側の第２収納空間とに区切られている。第１収納空間の内底面には、反射板が取り付けられる。また、第１収納空間における長手方向に対向する内側面の一方に２つの第１ソケットが並設され、前記内側面の他方に２つの第２ソケットが並設される。第１ソケット及び第２ソケットには、光源である直管形のＬＥＤランプの口金が着脱可能に装着される。なお、点灯装置のうち第１点灯部は、長尺箱形の筐体に収納された状態で第１収納空間の内底面に取り付けられて反射板で覆い隠される。
【０００４】
第１収納空間の内底面には、外部電源と接続される電源ケーブルの一端が接続される端子台が取り付けられる。この端子台と各点灯部との間には配線が設けられている。したがって、端子台に電源ケーブルの一端を接続することで、外部電源から各点灯部に給電される。なお、第１収納空間の内底面には、電源ケーブルを挿通させるための電線挿通孔が設けられている。
【０００５】
また、第１収納空間の内底面には、その長手方向に沿って一定の間隔を空けて、天井に取り付けられた１対の吊りボルトを挿通させるための１対のボルト挿通孔が設けられている。これらボルト挿通孔に天井から垂下される吊りボルトをそれぞれ挿通し、座金を嵌めてナットを締め付けることにより、器具本体が吊りボルトを介して天井に取り付けられる。
【０００６】
第２収納空間の内底面には、長尺箱形の筐体に収納した第２点灯部が取り付けられる。２次電池は、第２点灯部が収納された筐体とは別に取り付けられており、その一端にはコネクタが設けられている。このコネクタと、第２点灯部に設けられたコネクタとを接続することで、第２点灯部の充電回路により２次電池が充電される。また、商用電源の停電時には、２次電池から第２点灯部に給電される。第２収納空間は、矩形板状のカバーが取り付けられることにより閉塞される。
【先行技術文献】
【特許文献】
【０００７】
【特許文献１】特開２０１３−１４５６４６号公報
【発明の概要】
【発明が解決しようとする課題】
【０００８】
ところで、特許文献１記載の照明器具の器具本体は、第１収納空間と第２収納空間を有するため、長手方向の寸法がＬＥＤランプの長さ寸法よりも大きくなっている。しかしながら、従来の蛍光ランプを用いた照明器具からの置き換えを考慮すれば、器具本体を小型化することが望ましい。
【０００９】
本発明は、上記課題に鑑みてなされており、従来よりも小型化を図ることを目的とする。
【課題を解決するための手段】
【００１０】
本発明の照明器具は、器具本体と、給電装置と、接続部材とを備え、
前記器具本体は、造営材に取り付けられる底板部を有し、前記底板部は、厚み方向に貫通する孔が設けられ、前記給電装置は、電気回路と、ケースとを有し、前記電気回路は、電源線を介して外部から供給される電力を、光源に必要とされる電力に変換するように構成され、前記ケースは、箱状に形成されて前記電気回路を内部に収容するように構成され、前記接続部材は、前記電気回路と前記光源を電気的に接続するように構成され、さらに、前記ケースは、前記底板部の厚み方向から見て前記孔の少なくとも一部と重なり、かつ前記厚み方向に沿って前記底板部との距離が可変となるように前記底板部に取り付けられることを特徴とする。
【発明の効果】
【００１１】
本発明の照明器具は、従来よりも小型化を図ることができるという効果がある。
【図面の簡単な説明】
【００１２】
【図１】本発明に係る実施形態の照明器具を示す分解斜視図である。
【図２】同上の側面図である。
【図３】同上の平面図である。
【図４】同上を示し、器具本体の長手方向と直交する面の断面図である。
【図５】同上を示し、反射部材及び防水キャップを外した状態の平面図である。
【図６】同上の第２給電装置を下に移動させた状態を示す一部省略した斜視図である。
【図７】同上の第２給電装置を下に移動させた状態を示す一部省略した断面図である。
【図８】同上における配線図である。
【発明を実施するための形態】
【００１３】
本発明の実施形態に係る照明器具について、図１〜図８を参照して詳細に説明する。なお、本実施形態の照明器具は、いわゆる直管ＬＥＤランプを常用照明及び非常用照明の光源に兼用する非常用照明器具である。ただし、常用照明のみを行う照明器具や、直管ＬＥＤランプ以外の光源、例えば、直管蛍光ランプなどの光源を用いる照明器具に本発明の技術思想を適用してもかまわない。
【００１４】
本実施形態の照明器具は、天井に直付けされる照明器具であって、図１〜図４に示すように、器具本体１と、一対のランプソケット４と、第１給電装置５と、第２給電装置６と、蓄電部７とを備える。ただし、以下の説明では、特に断りの無い限り、図１において上下、左右、前後の各方向を規定する。詳しくは、器具本体１の長手方向を左右方向とし、器具本体１の高さ方向を上下方向とし、器具本体１の短手方向を前後方向とする。
【００１５】
器具本体１は、底板部２と反射部材３で構成される。底板部２は、図１及び図４に示すように、鋼板などの金属板により、長尺の矩形平板状に形成される。なお、底板部２は、短手方向（前後方向）の両端部が長手方向（左右方向）の全長に渡って下向きに曲げ起こされることで強度の向上が図られている。また、底板部２は、長手方向の中央に矩形の孔（電源孔２１）が設けられる。電源孔２１は、商用交流電源のような外部電源８（図８参照）に電気的に接続される電源ケーブル８０が挿通される。さらに、底板部２は、電源孔２１を挟んだ左右両側に、円形の孔（取付孔２２）がそれぞれ設けられる（図１および図５参照）。これら２つの取付孔２２は、天井から鉛直下向きに突出する２本の吊りボルトがそれぞれ挿通される。そして、底板部２は、各取付孔２２に挿通される吊りボルトにナットが締め付けられることによって天井に取り付けられる。
【００１６】
底板部２の左右両側の端部に、それぞれソケット台２０がねじ止めされる。そして、各ソケット台２０の下面に、それぞれランプソケット４が取り付けられる。右側のランプソケット４（第１ランプソケット４Ａ）は、ランプ９の片方の口金９１に設けられる一対の給電ピンと、第２給電装置６の一対の出力線６１とを電気的に接続し、第２給電装置６の直流出力を出力線６１を介してランプ９に供給するように構成される。左側のランプソケット４（第２ランプソケット４Ｂ）は、ランプ９のもう片方の口金９１に設けられる接地ピンと、底板部２とを電線４０を介して電気的に接続するように構成される（図５参照）。なお、これら２つのランプソケット（第１ランプソケット４Ａ及び第２ランプソケット４Ｂ）は、電気的に接続する機能だけでなく、口金９１を機械的に保持する機能を有している。
【００１７】
また、各ランプソケット４には、防水キャップ４１が取り付けられる。防水キャップ４１は、図２及び図３に示すように、ランプソケット４と口金９１とを覆うことでランプソケット４内に雨水などが浸入することを阻止するように構成される。
【００１８】
反射部材３は、図１に示すように、矩形の底板３０と、底板３０の前後両側に配置される一対の反射板３１と、底板３０の左右両側に配置される一対の側板３２とを有し、上面が開放された箱状に形成される。ただし、一対の反射板３１は、底板３０から離れるにつれて上に向かうように傾斜している（図４参照）。底板３０の長手方向の両端には、矩形の孔３００がそれぞれ設けられている（図１参照）。また、底板３０の長手方向の両端において、各孔３００から中央寄りにねじ挿通孔３０１がそれぞれ設けられる。反射部材３は、各孔３００にランプソケット４を挿通するようにして底板部２に被せられる。そして、一対のねじ挿通孔３０１にそれぞれつまみねじ３３が挿通され、各つまみねじ３３がソケット台２０の下面に設けられたねじ孔２００にねじ込まれることで反射部材３が底板部２と結合されて器具本体１が組み立てられる（図２〜図４参照）。
【００１９】
第１給電装置５は、外部電源８から供給される交流電力を直流電力に変換する回路（例えば、全波整流器、ＤＣ／ＤＣコンバータなど）と、当該回路を内部に収容する第１ケース５０とを備える。第１ケース５０は、例えば、アルミ又はアルミ合金の押出成形によって長尺の筒状に形成される（図１参照）。上記回路は、プリント配線板に種々の回路素子（トランジスタや抵抗、インダクタ、コンデンサなど）が実装されて構成され、第１ケース５０の内部に収容される。なお、第１給電装置５の第１ケース５０は、底板部２の下面における前側かつ右側の位置にねじ止めされる（図１及び図５参照）。
【００２０】
蓄電部７は、複数の２次電池と、１乃至複数の２次電池を収容する複数（図示例では２つ）の電池ケース７０と、各電池ケース７０を保護しかつ保持するカバー７１とを有する（図１参照）。２次電池は、例えば、円筒形のニッケル水素電池が好ましい。電池ケース７０は、合成樹脂材料又は金属材料によって円筒形に形成されて、内部に２次電池を収容するように構成される。また、電池ケース７０の長手方向の一端からは、電気ケーブル７２がそれぞれ引き出されている。各電気ケーブル７２は、２本の電線がシースで被覆されてなる。一方の電線は、２次電池の正極と電気的に接続され、他方の電線は、２次電池の負極と電気的に接続される。また、２本の電気ケーブル７２の先端には、プラグコネクタ７３が設けられる（図５参照）。カバー７１は、合成樹脂材料又は金属材料によって矩形の箱状に形成される。また、カバー７１の中央に挿通孔が設けられる。カバー７１は、図１に示すように器具本体１の底板部２との間に、２次電池を収容した２本の電池ケース７０を挟み込むようにして底板部２に固定される。すなわち、底板部２に取り付けられるボルト７５がカバー７１の挿通孔に挿通され、挿通孔に挿通されたボルト７５に蝶ナット７４（ウイングナット）をねじ込むことでカバー７１が固定される（図１、図５及び図７参照）。
【００２１】
第２給電装置６は、外部電源８から供給される直流電力で蓄電部７の２次電池を充電する充電回路、外部電源８及び２次電池を電源としてランプ９を点灯する点灯回路、切換回路などを備える。切換回路は、外部電源８の停電を検出していない場合、外部電源８と充電回路及び点灯回路とを電気的に接続し、外部電源８の停電を検出した場合、２次電池を点灯回路と電気的に接続するように構成される。点灯回路は、口金９１の接触子と電気的に接続されたランプソケット４を介して、ランプ９に給電するように構成される。なお、充電回路、点灯回路、切換回路などの各回路は、プリント配線板に種々の回路素子（トランジスタや抵抗、インダクタ、コンデンサなど）が実装されて構成され、第２ケース６０の内部に収容される。
【００２２】
第２ケース６０は、例えば、ケース本体６００と、２つの蓋部６０１とで構成される（図４及び図５参照）。ケース本体６００は、例えば、アルミ又はアルミ合金が押出成形されることにより、軸方向の両端が開口した角筒状に形成されることが好ましい。蓋部６０１は、例えば、アルミダイカストによって平板状に形成されることが好ましい。これら２つの蓋部６０１は、ケース本体６００の長手方向（左右方向）の端部にそれぞれねじ止めされることにより、ケース本体６００の両端の開口を閉塞するように構成されることが好ましい。ただし、各蓋部６０１とケース本体６００の端部との間に防水パッキンが挟み込まれ、ケース本体６００内への雨水の浸入が防止されることが好ましい。また、各蓋部６０１には、それぞれ複数の電線挿通孔６０２が貫通している（図１および図４参照）。そして、これらの電線挿通孔６０２に出力線６１などの電線がそれぞれ挿通される。なお、電線挿通孔６０２を通して第２ケース６０内に引き込まれた各電線は、第２ケース６０内に収容される回路と電気的に接続される。さらに、各蓋部６０１には、ケース本体６００から離れる向きに突出する固定片６０３がそれぞれ一体に設けられる（図５参照）。これらの固定片６０３の中央には、円形のねじ挿通孔が設けられる。
【００２３】
第２給電装置６は、取付部材６２を介して底板部２に取り付けられることが好ましい。取付部材６２は、第２ケース６０が固定される第１固定部６２０と、底板部２に固定される第２固定部６２１とを有する（図５参照）。第１固定部６２０は、長手方向の寸法が第２ケース６０の長手方向の寸法よりも大きく、かつ短手方向の寸法が第２ケース６０の短手方向の寸法よりも小さい、長尺の平板状に形成される。また、第２固定部６２１は、長手方向の寸法が第１固定部６２０の長手方向の寸法と等しく、かつ短手方向の寸法が第１固定部６２０の短手方向の寸法よりも小さい、長尺の平板状に形成される。さらに、第１固定部６２０と第２固定部６２１は、１枚の金属板がへの字状に曲げ加工されることで一体に構成されることが好ましい（図１および図４参照）。すなわち、第１固定部６２０は、図４に示すように、第２固定部６２１から遠い方の端部に向かって底板部２から離れる向き（下向き）に傾くように形成される。
【００２４】
第１固定部６２０は、長手方向の両端にねじ孔がそれぞれ設けられる。第２ケース６０は、各固定片６０３のねじ挿通孔に挿通される固定ねじ６０３０がそれぞれねじ孔にねじ込まれることによって、第１固定部６２０にねじ止めされる（図１および図５参照）。
【００２５】
第２固定部６２１は、長手方向の両端に支持部６２２がそれぞれ設けられる。支持部６２２は、いわゆる切り絞り加工によってブリッジ状に形成されることが好ましい（図６参照）。また、支持部６２２の中央には、円形の孔が設けられる。各支持部６２２の孔には、底板部２に設けられる一対の軸部２４が挿通される（図１および図６参照）。これらの軸部２４は、底板部２の下面から下向きに突出するように構成されることが好ましい。なお、このような軸部２４は、例えば、長尺のボルトが底板部２に設けられる孔に下向きに挿通され、かつナットが締め付けられることで底板部２に固定されることが好ましい。
【００２６】
２つの軸部２４は、２つの支持部６２２の孔に各別に挿通され、かつ蝶ナット２５がそれぞれに装着される。つまり、各支持部６２２は、軸部２４によって上下方向に移動可能に支持され、かつ蝶ナット２５によって軸部２４に対して抜け止めされる（図５〜図７参照）。
【００２７】
ここで、第１給電装置５、第２給電装置６、蓄電部７、第１ランプソケット４Ａ及び外部電源８は、図６の配線図に示すように、互いに電気的に接続される。電源ケーブル８０に含まれる３本の電線８０１〜８０３のうち、電線８０１が第１給電装置５の第１入力端子５１Ａと電気的に接続され、電線８０２が第２給電装置６の第１検出端子６３６と電気的に接続される。また、電線８０３は、点検スイッチ１０の３つの端子１０１〜１０３のうちの１つの端子１０１と電気的に接続される。また、点検スイッチ１０の端子１０２は、電線１２を介して第２給電装置６の第１検出端子６３６と電気的に接続される。さらに、点検スイッチ１０の端子１０３は、電線１３を介して第１給電装置５の第２入力端子５１Ｂと電気的に接続される。
【００２８】
第１給電装置５の第１出力端子５２Ａは、電線１４を介して第２給電装置６の第１入力端子６３０と電気的に接続される。また、第１給電装置５の第２出力端子５２Ｂは、電線１５を介して第２給電装置６の第２入力端子６３１と電気的に接続される。
【００２９】
第２給電装置６の第１出力端子６３２及び第２出力端子６３３は、一対の出力線６１を介して第１ランプソケット４Ａと電気的に接続される。また、第２給電装置６の第１入出力端子６３４及び第２入出力端子６３５は、一対の電線１６を介してレセプタクルコネクタ６４と電気的に接続される。なお、このレセプタクルコネクタ６４には、蓄電部７のプラグコネクタ７３が差込接続される。つまり、第２給電装置６の第１入出力端子６３４及び第２入出力端子６３５は、一対の電線１６、レセプタクルコネクタ６４及びプラグコネクタ７３を介して蓄電部７の２次電池と電気的に接続される。なお、第２給電装置６は、発光ダイオードからなるモニタランプ６５を備えることが好ましい。モニタランプ６５は、図５に示すように左側のソケット台２０の下面に取り付けられ、蓄電部７の充電中に点灯するように構成される。ただし、モニタランプ６５の光は、反射部材３の底板３０の左端に設けられる円形の孔３０２を通して器具本体１の外に放射される（図３参照）。
【００３０】
点検スイッチ１０は、図１に示すように引き紐１００を備え、引き紐１００が引かれる毎に、３つの端子１０１〜１０３同士を導通させるオン状態と、３つの端子１０１〜１０３同士を導通させないオフ状態とを切り替えるように構成される（図８参照）。つまり、点検スイッチ１０がオフ状態になると、第２給電装置６の検出端子６３６、６３７に外部電源８の電源電圧が入力されなくなる。そのため、切換回路が停電を検出して２次電池を点灯回路と電気的に接続することにより、ランプ９を非常点灯させて動作確認を行うことができる（図８参照）。点検スイッチ１０は、図５に示すように、底板部２の下面における、左側のソケット台２０の近傍にねじ止めされる。なお、引き紐１００は、反射部材３の底板３０に設けられる矩形の孔３０３を通して器具本体１の外に引き出される（図１及び図２参照）。
【００３１】
次に、本実施形態の照明器具の施工手順を説明する。
【００３２】
まず、施工作業を行う作業者は、２つの蝶ナット２５を反時計回りに回して、第２給電装置６が取り付けられている取付部材６２を下向き（底板部２から離れる向き）に移動させる（図６及び図７参照）。それから、作業者は、天井の吊りボルトに器具本体１の底板部２を取り付ける。このとき、作業者は、天井から引き出されている電源ケーブル８０を、底板部２の電源孔２１に挿通して底板部２の下方に引き出しておく。ここで、第２給電装置６は、下から見て底板部２の電源孔２１と重なっているが（図５参照）、事前に移動させられて底板部２との距離が大きくなっている（図７参照）。そのため、作業者は、底板部２の電源孔２１に電源ケーブル８０を容易に挿通することができる。
【００３３】
続いて、作業者は、第１給電装置５の第１入力端子５１Ａと電気的に接続されている電線５３と、電源ケーブル８０の電線８０１とを電気的に接続する。また、作業者は、第２給電装置６の第１検出端子６３６と電気的に接続されている電線６６と、電源ケーブル８０の電線８０２とを電気的に接続する。さらに、作業者は、点検スイッチ１０の端子１０１と電気的に接続されている電線１７と、電源ケーブル８０の電線８０３とを電気的に接続する（図６及び図８参照）。なお、作業者は、各電線５３、６６、１７の導体と電源ケーブル８０（電線８０１〜８０３）の導体とを直接接続してもよいし、コネクタを介して接続してもよい。それから、作業者は、蓄電部７のプラグコネクタ７３をレセプタクルコネクタ６４に差込接続する。
【００３４】
作業者は、結線作業の完了後、蝶ナット２５を時計回りに回し、取付部材６２の第２固定部６２１が底板部２に接するまで第２給電装置６を上向きに移動させる（図４参照）。ここで、第１固定部６２０が第２固定部６２１に対して下向きに傾いているため、第１固定部６２０、すなわち、第２給電装置６と底板部２の間に空間が形成される。したがって、作業者が第２給電装置６を上向きに移動させる際、電源ケーブル８０や電線５３、６６、１７などが取付部材６２と底板部２の間に挟み込まれる可能性が低くなる。それから、作業者は、第２固定部６２１の後側の左右両端に設けられた孔にねじ６２３を挿通し、そのねじを底板部２のねじ孔にねじ込むことで第２固定部６２１を底板部２にねじ止めする（図５参照）。
【００３５】
次に、作業者は、底板３０の孔３０２とモニタランプ６５の位置を合わせ、点検スイッチ１０の引き紐１００を底板３０の孔３０３に通した後、反射部材３を下から底板部２に被せる。さらに、作業者は、底板３０の２つのねじ挿通孔３０１にそれぞれつまみねじ３３を挿通し、各つまみねじ３３を各ソケット台２０のねじ孔２００にねじ込むことで反射部材３を底板部２に取り付ける。続いて、作業者は、各ランプソケット４（第１ランプソケット４Ａ及び第２ランプソケット４Ｂ）に口金９１を接続する。最後に、作業者は、あらかじめランプ本体９０を挿入していた一対の防水キャップ４１を、第１ランプソケット４Ａ及び第２ランプソケット４Ｂに固定してランプ９を照明器具に装着する（図２及び図３参照）。本実施形態の照明器具は、このような手順で施工される。
【００３６】
ここで、特許文献１記載の照明器具は、第２点灯部（第２給電装置６に相当）を収納するために、器具本体に第２収納空間を有している。そのため、特許文献１記載の照明器具は、器具本体の長手方向の寸法がＬＥＤランプ（ランプ９に相当）の長さ寸法よりも大きくなっている。
【００３７】
これに対して、本実施形態の照明器具は、底板部２の厚み方向（上下方向）から見て底板部２の電源孔２１の少なくとも一部と重なり、かつ厚み方向に沿って底板部２との距離が可変となるように、第２ケース６０を底板部２に取り付けている。そのため、本実施形態の照明器具では、第２給電装置６を収容するための専用のスペースを器具本体１に設ける必要が無いので、器具本体１の長手方向の寸法をランプ９の長さ寸法と同程度にできる。さらに、第２ケース６０と底板部２との距離が可変であるから、電源孔２１に電源ケーブル８０を挿通する際に第２給電装置６が邪魔になり難い。そのため、本実施形態の照明器具では、器具本体１の長手方向及び短手方向において、第２給電装置６を底板部２の電源孔２１と重なる位置に配置することができる。したがって、本実施形態の照明器具は、特許文献１記載の照明器具よりも小型化を図ることができる。
【００３８】
なお、第２給電装置６は、底板部２の厚み方向から見て、底板部２の電源孔２１の代わり、あるいは、電源孔２１とともに、取付孔２２の少なくとも一部と重なるように底板部２に取り付けられてもよい。
【００３９】
上述のように本実施形態の照明器具は、器具本体１と、給電装置（第２給電装置６）と、接続部材（ランプソケット４）とを備える。器具本体１は、
造営材に取り付けられる底板部２を有する。底板部２は、厚み方向（上下方向）に貫通する孔（電源孔２１）が設けられる。給電装置（第２給電装置６）は、電気回路と、ケース（第２ケース６０）とを有する。電気回路は、電源線（電源ケーブル８０）を介して外部から供給される電力を、光源（直管ＬＥＤランプ９）に必要とされる電力に変換するように構成される。ケース（第２ケース６０）は、箱状に形成されて電気回路を内部に収容するように構成される。接続部材（ランプソケット４）は、電気回路と光源（直管ＬＥＤランプ９）を電気的に接続するように構成される。さらに、ケース（第２ケース６０）は、底板部２の厚み方向（上下方向）から見て孔（電源孔２１）の少なくとも一部と重なり、かつ厚み方向に沿って底板部２との距離が可変となるように底板部２に取り付けられる。
【００４０】
本実施形態の照明器具は上述のように構成されるので、給電装置（第２給電装置６）を収容するための専用のスペースを器具本体１に設ける必要が無く、従来よりも小型化を図ることができる。
【００４１】
また、本実施形態の照明器具において、ケース（第２ケース６０）は、取付部材６２を介して底板部２に取り付けられるように構成されることが好ましい。取付部材６２は、厚み方向（上下方向）に沿って底板部２との距離が可変となるように底板部２に取り付けられることが好ましい。
【００４２】
本実施形態の照明器具が上述のように構成されれば、底板部２に対して移動可能に取り付けるための構造がケース（第２ケース６０）に不要となるので、ケース（第２ケース６０）の形状や構造の簡素化を図ることができる。
【００４３】
さらに、本実施形態の照明器具において、底板部２は、厚み方向に沿った１乃至複数の軸部２４を有することが好ましい。取付部材６２は、ケース（第２ケース６０）が固定される固定部（第１固定部６２０）と、軸部２４に支持される１乃至複数の支持部６２２とを有することが好ましい。固定部（第１固定部６２０）は、底板部２に対して傾くように形成されることが好ましい。支持部６２２は、軸部２４に沿って移動可能に形成されることが好ましい。
【００４４】
本実施形態の照明器具が上述のように構成されるので、固定部（第１固定部６２０）と底板部２との間に形成される空間に電源線（電源ケーブル８０）などを配置することができる（図１参照）。
【００４５】
なお、第２給電装置６に代えて、あるいは第２給電装置６とともに、第１給電装置５が底板部２に対して移動可能に取り付けられてもよい。また、常用照明のみに用いられる照明器具のように、給電装置を１つしか有しない照明器具の場合、当該１つの給電装置が底板部２に対して移動可能に取り付けられる。さらに、取付部材６２も本実施形態の構成に限定されない。
【符号の説明】
【００４６】
１  器具本体
２  底板部
４  ランプソケット（接続部材）
６  第２給電装置（給電装置）
９  直管ＬＥＤランプ（光源）
２１  電源孔（孔）
２４  軸部
６０  第２ケース（ケース）
６２  取付部材
８０  電源ケーブル（電源線）
６２０  第１固定部（固定部）
６２２  支持部
【図１】
0006395084.tif 000002
【図２】
0006395084.tif 000003
【図３】
0006395084.tif 000004
【図４】
0006395084.tif 000005
【図５】
0006395084.tif 000006
【図６】
0006395084.tif 000007
【図７】
0006395084.tif 000008
【図８】
0006395084.tif 000009